(57)【要約】【課題】比較的簡単な構成で、羽根を所定の位置に停止させることが可能な羽根駆動装置及び光量調整装置並びに撮像装置を提供すること。【解決手段】光が通過する開口部を有する地板と、開口部に対して移動可能に設けられる羽根と、羽根を移動させる駆動手段と、羽根の移動を停止させるストッパと、を備え、ストッパは、地板と一体的に設けられた板バネ形状の可動部を有し、可動部には、羽根の端部が当接する傾斜面が設けられた羽根駆動装置、この羽根駆動装置を備えた光量調整装置、この光量調整装置を備えた撮像装置とする。【選択図】図１
2016061984.tif 000002
【特許請求の範囲】
【請求項１】
光が通過する開口部を有する地板と、
前記開口部に対して移動可能に設けられる羽根と、
前記羽根を移動させる駆動手段と、
前記羽根の移動を停止させるストッパと、を備え、
前記ストッパは、前記地板と一体的に設けられた板バネ形状の可動部を有し、
前記可動部には、前記羽根の端部が当接する傾斜面が設けられたことを特徴とする羽根駆動装置。
【請求項２】
前記ストッパは、前記開口部を閉じた状態での前記羽根の移動を停止させる閉じストッパであることを特徴とする請求項１に記載の羽根駆動装置。
【請求項３】
前記可動部は、前記羽根が前記傾斜面に当接したときに前記羽根の移動方向に可動して前記羽根を受け止めることを特徴とする請求項１又は２に記載の羽根駆動装置。
【請求項４】
前記可動部と前記地板との隙間の少なくとも一部に緩衝材を配置したことを特徴とする請求項１乃至３のいずれか１項に記載の羽根駆動装置。
【請求項５】
請求項１乃至４のいずれか１項に記載の羽根駆動装置を搭載し、前記羽根によって前記開口部を通過する光の量を調整することを特徴とする光量調整装置。
【請求項６】
請求項５に記載の光量調整装置を備えたことを特徴とする撮像装置。
【発明の詳細な説明】
【技術分野】
【０００１】
本発明は、例えば、カメラ用シャッタ装置などの羽根駆動装置、及びこの羽根駆動装置を備えた光量調整装置、並びに光量調整装置が実装される撮像装置に関する。
【背景技術】
【０００２】
デジタルカメラ等に搭載される従来のカメラ用シャッタ装置としては、露光用の開口部を開閉するように地板に対して回動自在に設けられたシャッタ羽根、シャッタ羽根を駆動する駆動アームを有する電磁アクチュエータ、閉じ動作後にシャッタ羽根を停止させる閉じストッパ、開き動作後にシャッタ羽根を停止させる開きストッパ等を備えたものが知られている（特許文献１参照）。
【０００３】
このような特許文献１のカメラ用シャッタ装置においては、羽根部材とストッパとを磁気的に吸着させており、羽根の誤作動を防止することが可能となる。
【先行技術文献】
【特許文献】
【０００４】
【特許文献１】特開２００６−２８４６４１号公報
【発明の概要】
【発明が解決しようとする課題】
【０００５】
しかし、特許文献１に開示されているようなカメラ用羽根駆動装置においては、羽根部材とストッパとを磁気的に吸着させる構成が必要であり、構造が複雑化するだけでなく、羽根の駆動制御にも影響する。
【０００６】
本発明は、比較的簡単な構成で、羽根を所定の位置に停止させることが可能な羽根駆動装置及び光量調整装置並びに撮像装置を提供するものである。
【課題を解決するための手段】
【０００７】
本発明は、光が通過する開口部を有する地板と、前記開口部に対して移動可能に設けられる羽根と、前記羽根を移動させる駆動手段と、前記羽根の移動を停止させるストッパと、を備え、前記ストッパは、前記地板と一体的に設けられた板バネ形状の可動部を有し、前記可動部には、前記羽根の端部が当接する傾斜面が設けられたことを特徴とする羽根駆動装置にある。このような本発明の態様によれば、ストッパが地板と一体的に設けられており、ストッパの可動部が羽根を受け止める構成であるため、比較的簡単な構成で、羽根を所定の位置に停止させることが可能となる。
【０００８】
上記本発明では、前記ストッパは、前記開口部を閉じた状態での前記羽根の移動を停止させる閉じストッパであることを特徴とする。このような本発明の態様によれば、開口部を閉じた羽根を所定の位置で停止させることが可能となる。
【０００９】
上記本発明では、前記可動部は、前記羽根が前記傾斜面に当接したときに前記羽根の移動方向に可動して前記羽根を受け止めることを特徴とする。このような本発明の態様によれば、羽根を受け止めるに当たって可動部が変形することから、羽根の衝撃を効果的に低減することができる。
【００１０】
上記本発明では、前記可動部と前記地板との隙間の少なくとも一部に緩衝材を配置したことを特徴とする。このような本発明の態様によれば、緩衝材によって衝撃吸収力が高められる。
【００１１】
また、本発明では、上述した羽根駆動装置を搭載し、前記羽根によって前記開口部を通過する光の量を調整することを特徴とする光量調整装置、あるいは、この光量調整装置を備えたことを特徴とする撮像装置についても広く対象とする。このような本発明の態様によれば、羽根の移動及びその後の停止を高精度に行うことができることから、光量調整の精度を向上できる光量調整装置、撮像装置を実現することが可能である。
【発明の効果】
【００１２】
本発明によれば、比較的簡単な構成で、羽根を所定の位置に停止させることが可能な羽根駆動装置及び光量調整装置並びに撮像装置を実現することができる。
【図面の簡単な説明】
【００１３】
【図１】本発明に係るカメラ用シャッタ装置の外観平面図。
【図２】図１に示すカメラ用シャッタ装置の展開断面図。
【図３】シャッタ羽根が地板開口部を開放した待機位置にある状態を示す平面図。
【図４】シャッタ羽根が閉じ走行を行って地板開口部を閉鎖した閉鎖位置にある状態を示す平面図。
【図５】シャッタ羽根と駆動アームと閉じストッパとの力関係を説明するための作動説明図。
【図６】本発明に係るカメラ用シャッタ装置の他の実施形態を示すものであり、シャッタ羽根が地板開口部を開放した待機位置にある状態を示す平面図。
【図７】図６に示す装置において、シャッタ羽根が閉じ走行を行って地板開口部を閉鎖した閉鎖位置にある状態を示す平面図。
【図８】図６に示す装置において、駆動アームと閉じストッパとの力関係を説明するための作動説明図。
【図９】本発明に係るカメラ用シャッタ装置の他の実施形態を示すものであり、閉じストッパ全体に衝撃緩衝材を取り付けた状態を示す平面図。
【図１０】本発明に係るカメラ用シャッタ装置の他の実施形態を示すものであり、閉じストッパの一部に衝撃緩衝材を取り付けた状態を示す平面図。
【発明を実施するための形態】
【００１４】
本発明の羽根駆動装置は、光が通過する開口部を有する地板と一体的に設けられた羽根のストッパを有し、このストッパが板バネ形状の可動部を備え、移動する羽根を受け止める構成とした点に特徴がある。このような本発明の構成によれば、ストッパの可動部が地板と一体的に設けられることで構成を簡略化でき、しかも可動部が羽根との衝撃を吸収する構成であるので、羽根を所定の位置に停止させることができる。
【００１５】
羽根駆動装置は、例えば、カメラ用シャッタ装置に組み込まれる。カメラ用シャッタ装置としては、例えば、露光用の開口部を有する基板と、この基板上の支軸回りに回動自在に支持されて開口部を開閉するシャッタ羽根と、シャッタ羽根を回転作動させる駆動アームとそれを駆動する電磁駆動源と、電磁駆動源により作動させられた駆動アームと連動するシャッタ羽根を当接させて停止させるストッパとを備えた構成となる。
【００１６】
このような構成のカメラ用シャッタ装置では、開口部を閉じたときにシャッタ羽根の移動を停止させる閉じストッパが、シャッタ羽根を当接させつつ衝撃を吸収させる為に、地板に一体成形された、角度θの付いた板バネ形状の可動する傾斜面を有する。この構成によれば、シャッタ羽根が走行（回転運動）してストッパに当接する際の衝撃力は、傾斜面がシャッタ羽根に押される時に板バネ部が変形して吸収され、シャッタ羽根に対する反作用力が弱くなる。すなわち、この反作用力は衝突時の衝撃力よりも小さくなるため、衝撃力がそのまま反作用力となる場合に比べて、シャッタ羽根のバウンドは小さくなり、バウンド現象の抑制ないし防止することができる。
【００１７】
また、上記構成において、ストッパは、開口部の閉じ動作の後にシャッタ羽根を停止させる閉じストッパとなる。この構成によれば、露光時間をシャッタ羽根の閉じ動作により規定するような、例えば、デジタルカメラのシャッタ装置として適用される場合に、バウンド現象を抑制ないし防止することで、良好な露光動作を得ることができる。
【００１８】
さらに、上記構成において、閉じストッパの傾斜面は、シャッタ羽根の支軸方向に作動中心を持ち、シャッタ羽根と同じ回転方向へ作動するように形成されている。この構成によれば傾斜面はシャッタ羽根と同じ方向へ作動すように形成されているため、シャッタ羽根がストッパの傾斜面に衝突した際に、シャッタ羽根の当接面と閉じストッパの傾斜面との間に食い込んでロックされるのを防止できると共に、バウンド現象を効果的に抑制あるいは防止できる。
【００１９】
以下、本発明の実施の形態について、添付図面を参照しつつ説明する。図１ないし図５は、本発明に係るカメラ用シャッタ装置の一実施形態を示すものである。
【００２０】
図示するように、本実施形態のカメラ用シャッタ装置は、露光用の開口部１ａを有する基板としての地板１及びカバー板６、開口部１ａを開閉するシャッタ羽根２、シャッタ羽根３を駆動する電磁駆動源としての電磁アクチュエータ５、電磁アクチュエータ５より駆動力へ得て、シャッタ羽根を作動させる駆動アーム４を備えている。
【００２１】
ここで、電磁アクチュエータ５は、図１及び図２に示すように、Ｎ極及びＳ極に着磁されかつ所定の角度範囲を回動自在に支持されたロータ５ａ、励磁用のコイル５ｃ、磁気回路を形成する円筒状のヨーク５ｂ等により形成されている。なお、ロータ４ｂには、回転中心から偏倚した位置においてシャッタ羽根２に連結される駆動ピン４ａが一体的に形成されている。
【００２２】
また、地板１には、図１、図３及び図４に示すように、露光用の開口部１ａ、シャッタ羽根２、３を支持する支軸４ｂ，４ｄ、閉じ動作を行なって閉鎖位置に至ったシャッタ羽根２、３を停止させる閉じストッパ１ｃ、開き動作を行なって待機位置に至ったシャッタ羽根２、３を停止させる開きストッパ１ｂ、が形成されている。また、地板１と押え板６との間には、図２に示すように、シャッタ羽根２、３を回動自在に収納する羽根室Ｗが形成されている。
【００２３】
さらに、図３及び図４に示すように、第１シャッタ羽根２及び第２シャッタ羽根３には、それぞれ円孔２ａ，３ａと長孔２ｂ，３ｂが形成されている。そして、円孔２ａ，３ａには地板１の支軸４ｂ，４ｄが挿入されて、第１シャッタ羽根２及び第２シャッタ羽根３は、回動自在に支持されている。また、長孔２ｂ，３ｂには、駆動ピン４ａが挿入されている。
【００２４】
したがって、ロータ４ｂが回動することにより、第１シャッタ羽根２及び第２シャッタ羽根３は、例えば、図３に示す待機位置（開口部１ａを開放した位置）から、図４に示す閉鎖位置（開口部１ａを閉鎖した位置）に至り、再び待機位置に戻るように、お互いに近接及び離隔するように回動して、開口部１ａを開閉するようになっている。
【００２５】
ここで、閉じストッパ１ｃについては、図５に示すように、第１シャッタ羽根２が当接する部分は地板の開口部に対して、所定の角度θだけ傾斜した傾斜面として形成されており、θの範囲で可動できる板バネ状の形状（可動部）を形成している。また、この可動部の傾斜面は、支軸４ｂと対面しない外側に向けて傾斜するように形成されている。
【００２６】
この閉じストッパ１ｃの傾斜面の作用を説明すると、第１シャッタ羽根２が走行（反時計回りに回転運動）して、その第１シャッタ羽根が閉じストッパ１ｃに当接する際の衝撃力Ｆは、板バネとなっている閉じストッパ１ｃの傾斜面がθ内で作動する際に分散され、軽減される。すなわち、反作用力は、衝撃力Ｆよりも小さくなるため、衝撃力Ｆがそのまま反作用力となる場合に比べて、駆動アームのバウンド現象が抑制ないしは防止される。
【００２７】
また、閉じストッパ１ｃの傾斜面が支軸４ｂ側を向くのではなく反対側である外側を向くように形成されているため、第１シャッタ羽根の当接面が閉じストッパ１ｃの傾斜面に衝突した際に、その当接面が支軸４ｂと閉じストッパ１ｃの傾斜面との間に食い込んでロックされるのを防止できる。
【００２８】
ここで、角度θとしては、衝撃力Ｆをできるだけ多く吸収させる為、閉じストッパの可動角が大きいことが好ましく、一方、大き過ぎると地板の開口部が大きくなり、光線漏れや地板の強度不足を生じさせる。したがって両者を考慮した適度な角度に設定される。ここでは角度θとしては、好ましくは約１０°〜４５°程度の範囲に設定されるがこの範囲に限定されない。
【００２９】
図６ないし図８は、本発明に係るカメラ用シャッタ装置の他の実施形態を示すものである。尚、前述の実施形態と同一の構成については同一の符号を付してその説明を省略する。この装置においては、図示するように、シャッタ羽根２０、３０（第１シャッタ羽根２０及び第２シャッタ羽根３０）を駆動させる駆動ピン４０ａを閉じストッパ１０ｃに当接させて停止させるものである。すなわち、地板１０には、図６及び図７に示すように、駆動部５０の近傍において、閉じ動作を行なって閉鎖位置に至った駆動アーム４０を停止させる閉じストッパ１０ｃが形成されている。
【００３０】
図６及び図７に示すように、第１シャッタ羽根２０及び第２シャッタ羽根３０は、軸１０ｅ、１０ｆに嵌合する長穴２０ａ、２０ｂ、３０ａ、３０ｂと、駆動ピン４０ａに当接する長穴２０ｃ、３０ｃが形成されており、駆動アームの回転運動が、シャッタ羽根の上下運動に変換される機構になっている。
【００３１】
ここで、閉じストッパ１０ｃについては、図８に示すように、駆動レバー４０の駆動ピン４０ａの当接する部分が、地板１０より角度θだけ傾斜した傾斜面として板バネ状に一体形成されている。また、これら傾斜面は、駆動ピン４０ａに対面しない外側に向けて傾斜するように形成されている。
【００３２】
そして、この傾斜面の作用を説明すると、駆動アーム４０が走行（反時計回りに回転運動）して、その先端部の駆動ピン４０ａが閉じストッパ１０ｃに当接する際の衝撃力Ｆ２は、板バネでもある閉じストッパ１０ｃの傾斜面の板バネに吸収され、反作用力Ｆ２‘が駆動アーム４０を押し戻す力として作用することになる。
【００３３】
すなわち、反作用力Ｆ２‘は、衝撃力Ｆ２よりも小さくなるため、衝撃力Ｆ２がそのまま反作用力となる場合に比べて、駆動アーム４０のバウンド現象が抑制ないしは防止される。したがって、その駆動アームにより作動する第２シャッタ羽根２０についても、前述と同様のバウンド現象の抑制効果が得られる。
【００３４】
また、前述実施形態と同様に、閉じストッパ１０ｃの傾斜面が支軸４０ｂ側を向くのではなく反対側である外側を向くように形成されているため、駆動ピン４０ａが閉じストッパ１０ｃの傾斜面に衝突した際に、駆動ピン４０ａが支軸４０ｂと傾斜面との間に食い込んでロックされるのを防止できる。
【００３５】
図９ないし図１０は、本発明に係るカメラ用シャッタ装置の耐衝撃性を高める実施形態を示すものである。尚、前述の実施形態と同一の構成については同一の符号を付してその説明を省略する。
【００３６】
第１シャッタ羽根２が当接する部分は地板の開口部に対して、所定角度θだけ傾斜した傾斜面として形成されており、θの可動範囲には空間が開いている。
【００３７】
また、図９に示すように、このθの可動範囲の空間に衝撃緩衝材１ｄを挿入する。これにより、板バネだけでの時より、より多くの衝撃吸収が出来る。ここで挿入するものは、ウレタンやゴムなどの一体の固形物、液体を封入した袋などが上げられる。
【００３８】
また、図１０に示すように、閉じストッパ１ｃの一部分に衝撃緩衝材１ｅを挿入することも１ｄを挿入したのと同じ効果が得られる。こちらに挿入するものは、シリコンブッシュやバネなどが上げられる。
【００３９】
以上述べたように、本発明のカメラ用シャッタ装置によれば、電磁駆動源により作動させられたシャッタ羽根、連動している駆動アームを当接させて停止させるストッパを板バネ形状にして地板と一体成形することで、駆動アームが走行（回転運動）してストッパに当接する際の衝撃力による反作用力が小さくなるため、シャッタ羽根のバウンド現象を抑制ないし防止できる。特に、閉じストッパに対して傾斜面を設けることにより、露光時間をシャッタ羽根の閉じ動作により規定するような、デジタルカメラのシャッタ装置として適用される場合に、バウンド現象を抑制ないし防止することで、良好な露光動作を得ることができる。
【図１】
2016061984.tif 000003
【図２】
2016061984.tif 000004
【図３】
2016061984.tif 000005
【図４】
2016061984.tif 000006
【図５】
2016061984.tif 000007
【図６】
2016061984.tif 000008
【図７】
2016061984.tif 000009
【図８】
2016061984.tif 000010
【図９】
2016061984.tif 000011
【図１０】
2016061984.tif 000012